【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
体表面に由来する複数の温度を測定し、前記体表面からの熱放散に関する対流伝熱量と輻射伝熱量との算出に用いる情報を得る熱量測定部と、
血中酸素量に関する情報を得る酸素量測定部と、
前記複数の温度及び前記血中酸素量に各々対応するパラメータと血糖値との関係を記憶した記憶部と、
前記熱量測定部及び前記酸素量測定部から入力される複数の測定値を前記パラメータへ各々変換し、前記パラメータを前記記憶部に記憶した前記関係に適用して血糖値を演算する演算部と、
前記演算部によって算出された結果を表示する表示部とを備え、
前記酸素量測定部は、血流量に関する情報を得る血流量測定部を少なくとも有し、
前記血流量測定部は、体表面接触部と、前記体表面接触部の体表面が接触する面と反対側の面に接触して設けられた温度検出器と、金属ブロックと、前記温度検出器と前記金属ブロックを熱結合させる熱結合部材とを有することを特徴とする血糖値測定装置。
【請求項２】
請求項１記載の血糖値測定装置において、前記熱結合部材の熱伝導率は、前記金属ブロックの熱伝導率より小さいことを特徴とする血糖値測定装置。
【請求項３】
請求項１記載の血糖値測定装置において、前記金属ブロックは、3.0×10-3(KJ/K)以上の熱容量を有することを特徴とする血糖値測定装置。
【請求項４】
請求項１記載の血糖値測定装置において、前記酸素量測定部は、さらに血中のヘモグロビン濃度、ヘモグロビン酸素飽和度を得る光学測定部を備えることを特徴とする血糖値測定装置。
【請求項５】
環境温度を測定する環境温度測定器と、
体表面が接触する体表面接触部と、
前記体表面からの輻射熱を測定する輻射熱検出器と、
前記体表面接触部の体表面が接触する面と反対側の面に接触して設けられた温度検出器と、
金属ブロックと、
前記温度検出器と前記金属ブロックを熱結合させる熱結合部材と、
前記体表面接触部に向けて少なくとも２つの異なる波長の光を照射する光源と、
前記体表面へ照射された後の光を検出する光検出器と、
前記環境温度測定器、前記輻射熱検出器、前記温度検出器及び前記光検出器各々の出力を各々パラメータに変換する変換部と、前記パラメータと血糖値との関係を予め記憶し、前記パラメータを前記関係に適用して血糖値を算出する処理部とを有する演算部と、
前記演算部から出力される結果を表示する表示部とを備えることを特徴とする血糖値測定装置。
【請求項６】
請求項５記載の血糖値測定装置において、前記熱結合部材の熱伝導率は、前記金属ブロックの熱伝導率より小さいことを特徴とする血糖値測定装置。
【請求項７】
請求項５記載の血糖値測定装置において、前記金属ブロックは、3.0×10-3(KJ/K)以上の熱容量を有することを特徴とする血糖値測定装置。
【請求項８】
環境温度を測定する環境温度測定器と、
被測定体の体表面上の第１部位に由来する温度を測定する第１部位温度測定器と、
前記被測定体の前記第１部位とは異なる位置の第２部位の温度を取り込む第２部位温度取り込み部と、
前記第１部位の血流量に関する情報を取得する血流量取得部と、
前記環境温度、前記第１部位に由来する温度、前記第２部位の温度、及び前記血流量と代謝量との関係を記憶した記憶部と、
前記環境温度測定器によって測定された環境温度、前記第１部位温度測定器によって測定された第１部位温度、前記第２部位温度取り込み部によって取り込まれた第２部位温度、及び前記血流量取り込み部によって取り込まれた血流量を前記記憶部に記憶した前記関係に適用して代謝量を演算する演算部と、
前記演算部によって演算された結果を表示する表示部と
を備え、
前記血流量取得部は、前記体表面上の第１の部位が接触する体表面接触部と、前記体表面接触部の体表面が接触する面と反対側の面に接触して設けられた温度検出器と、
金属ブロックと、前記温度検出器と前記金属ブロックを熱結合させる熱結合部材とを有することを特徴とする代謝量測定装置。
【請求項９】
請求項８記載の代謝量測定装置において、前記第２部位温度取り込み部は体温計からなり、前記体温計の出力が前記演算部に供給されることを特徴とする代謝量測定装置。
【請求項１０】
請求項８記載の代謝量測定装置において、前記第２部位温度取り込み部は、体温を数値入力するための操作部を有することを特徴とする代謝量測定装置。
【請求項１１】
請求項８記載の代謝量測定装置において、前記第１部位は被測定体の四肢の部位であり、前記第１部位温度測定器は、前記四肢の部位の温度を測定することを特徴とする代謝量測定装置。
【請求項１２】
請求項８記載の代謝量測定装置において、前記熱結合部材の熱伝導率は、前記金属ブロックの熱伝導率より小さいことを特徴とする代謝量測定装置。
【請求項１３】
請求項８記載の代謝量測定装置において、前記金属ブロックは、3.0×10-3(KJ/K)以上の熱容量を有することを特徴とする代謝量測定装置。
【請求項１４】
請求項８記載の代謝量測定装置において、前記第１部位の酸素飽和度に関する情報を取り込む酸素飽和度取り込み部をさらに有し、前記記憶部は、前記第１部位に由来する温度、前記第２部位の温度、前記血流量及び前記酸素飽和度と代謝量との関係を記憶し、前記演算部は、前記環境温度測定器によって測定された環境温度、前記第１部位温度測定器によって測定された第１部位温度、前記第２部位温度取り込み部によって取り込まれた第２部位温度、前記血流量取り込み部によって取り込まれた血流量、前記酸素飽和度取り込み部によって取り込まれた酸素飽和度を前記記憶部に記憶した前記関係に適用して代謝量を演算することを特徴とする代謝量測定装置。
【請求項１５】
環境温度を測定する環境温度測定器と、
体表面の第１部位が接触する体表面接触部と、
前記体表面接触部に接し、かつ一端が開口する筒状部材と、
前記筒状部材の他端の近傍に設けられ、前記第１部位からの輻射熱を測定する輻射温度計と、
前記体表面接触部の前記第１の部位が接触する面と反対側の面に接触して設けられた温度検出器と、金属ブロックと、前記温度検出器と前記金属ブロックを熱結合させる熱結合部材とを有し、前記体表面の第１の部位が接触した後の前記体表面接触部の温度変化から前記第１部位の血流量に関する情報を取得する血流量取得部と、
前記筒状部材の前記一端に向けて、少なくとも２つの異なる波長の光を照射する光源と、
前記体表面と相互作用した光を検出する光検出器と、
前記体表面の前記第１部位と異なる部位の第２部位の温度を取り込む第２部位温度取り込み部と、
前記環境温度測定器によって測定された環境温度、前記第１部位温度測定器によって測定された第１部位温度、前記第２部位温度取り込み部によって取り込まれた第２部位温度、前記血流量取り込み部によって取り込まれた血流量、及び前記光検出器によって測定された光検出結果を、予め記憶した代謝量との関係に適用して代謝量を演算する演算部と、
前記演算部から出力される結果を表示する表示部と
を備えることを特徴とする代謝量測定装置。
【請求項１６】
請求項１５記載の代謝量測定装置において、前記熱結合部材の熱伝導率は、前記金属ブロックの熱伝導率より小さいことを特徴とする代謝量測定装置。
【請求項１７】
請求項１５記載の代謝量測定装置において、前記金属ブロックは、3.0×10-3(KJ/K)以上の熱容量を有することを特徴とする代謝量測定装置。
【請求項１８】
請求項１５記載の代謝量測定装置において、前記第２部位温度取り込み部は体温計であることを特徴とする代謝量測定装置。
【請求項１９】
請求項１５記載の代謝量測定装置において、前記第２部位温度取り込み部は体温を数値入力するための操作部であることを特徴とする代謝量測定装置。
【請求項２０】
請求項１５記載の代謝量測定装置において、前記第１部位は被測定体の四肢の部位であり、前記第１部位温度測定器は、前記四肢の部位の温度を測定することを特徴とする代謝量測定装置。